(57)【要約】      （修正有）【課題】感温変色体の色変化が、低温から高温になると色が濃色から脱色或いは、白化するものにおいて、文字或いは形状の表示、発現方法を提供する。【解決手段】表示したい文字又は形状を感温変色体の色又はそれと異なる色（特に白色）で予め、感温変色体１０１の下に基材１０２への印刷等で埋め込んでおく。低温では、感温変色体と異なる白色の部分は、感温変色体の色を介して見えるが、同じ色は認識できない。高温になると、感温変色体は、脱色又は、白化するので、白色の埋め込みは認識できないが、赤色の埋め込みは認識が可能となる。【選択図】図１
2005274801.tif 000002
【特許請求の範囲】
【請求項１】
感温変色体を配置したテープ状又はシート状又はラベル状の温度感知体を貼付して被貼付物体の温度を前記感温変色体の色変化を視認させる場合の前記色変化が、前記感温変色体が有する変色温度より低温側から変色温度より高温側になると前記色が有色から脱色又は白色化する前記感温変色体を配した感温感知体の文字・形状発現方法であって、前記感温変色体の上側又は下側に表示部を配置し、前記表示部は、前記感温変色体の前記変色温度未満の温度での前記感温変色体の呈する色と同じかほぼ同じ色を有することで、前記変色温度未満の温度では、前記表示部は視認し難く、前記変色温度以上の温度で前記感温変色体が変色することで、前記表示部は視認が容易となる第一表示部と、前記感温変色体の前記変色温度未満の温度での前記感温変色体の呈する色と異なる色を有することで、前記変色温度未満の温度では、前記表示部は視認が容易であり、前記変色温度以上の温度で前記感温変色体が変色することで、前記表示部は視認がし難くなる第二表示部との内、少なくとも、文字又は／及び形状を持って配置された前記第一表示部を含むことを特徴とする温度感知体の文字・形状発現方法。
【請求項２】
前記第一表示部が前記温度感知体のほぼ全面に配置され、前記変色温度が相異なる複数の前記感温変色体が配置されることを特徴とする請求項１記載の温度感知体の文字・形状発現方法。
【請求項３】
前記感温変色体は、前記温度感知体のほぼ全面に配置され、前記第一表示部が前記温度感知体の面の一部に配置されることを特徴とする請求項１記載の温度感知体の文字・形状発現方法。
【請求項４】
前記変色温度が相異なる複数の前記感温変色体が配置され、前記第一表示部を前記温度感知体の面に複数の領域に分けて配置されることを特徴とする請求項１記載の温度感知体の文字・形状発現方法。
【請求項５】
前記感温変色体は、感温変色体１及び感温変色体２の二種類であって、前記変色温度として、各々、変色温度１及び変色温度２を有する場合において、前記温度感知体の面上で、前記変色温度１を有する前記感温変色体１を配置される領域には第三表示部を、前記変色温度１より高い変色温度２を有する感温変色体２を配置される領域には第四表示部を各々配置し、前記第三表示部には、前記感温変色体１の前記変色温度１未満の温度での前記感温変色体１の呈する色と異なる色を有することで、前記変色温度１未満の温度では、前記第三表示部は視認が容易であり、前記変色温度１以上の温度で前記感温変色体１が変色することで、前記第三表示部は視認がし難くなる第一感温表示部と、前記感温変色体１の前記変色温度１未満の温度での前記感温変色体１の呈する色と同じ又はほぼ同じ色を有することで、前記変色温度１未満の温度では、前記第三表示部は視認し難く、前記変色温度１以上の温度で前記感温変色体１が変色することで、前記第三表示部は視認が容易となる第二感温表示部との内、少なくとも、第二感温表示部を有し、前記第四表示部は、前記感温変色体２の前記変色温度２未満の温度での前記感温変色体２の呈する色と同じかほぼ同じ色を有することで、前記変色温度２未満の温度では、前記第四表示部は視認し難く、前記変色温度２以上の温度で前記感温変色体２が変色することで、前記第四表示部は視認が容易となる第三感温表示部であることを特徴とする請求項１記載の温度感知体の文字・形状発現方法。
【請求項６】
前記第一感温表示部、前記第二感温表示部、前記第三感温表示部の前記文字又は／及び形状は、前記温度感知体の幅方向に分けて付設したことを特徴とする請求項５に記載の温度感知体の文字・形状発現方法。
【発明の詳細な説明】
【技術分野】
【０００１】
本発明は、感温変色テープ等のテープ又はラベル又はシート状の温度感知体での文字又は／及び形状の発現方法に関するものである。
【背景技術】
【０００２】
従来、感温変色テープ等の感知体の発現方法については、特許文献にはあまり見ることが出来なく、僅かに特許文献１に見出される。この特許文献１では、色素の色と相反する色の色隠蔽剤で着色し、記録すべき温度で溶融する媒体により、隠蔽剤を破って色素が発現することによって、色を顕在化し、表示している。温度により変色をさせる方法は、色素を隠蔽しておいた部分で隠蔽剤を破って色素を表す形の発現方法となっている。これを応用した製品として、図５のものが、製品として知られている。５−Ａで、５１は、色素が隠蔽された色素隠蔽円形部であり、所定の温度以上になると、色素隠蔽円形部５１の内部の溶融体が溶融して、隠蔽されていた色が矢印の右側の斜線部で示すように発現する。５−Ｂは、隠蔽剤の溶融温度が６０℃、７０℃、８０℃の３種で形成されたもので、例えば、温度が７５度では、６０と７０の文字の上の円形が色素を表して着色するものである。この様な色部を発現する方法は、着色粒子を隠蔽した層に分散して含有させるものには便利であるが、感温変色体、特に有機化合物で温度により変色する色素のものでは、低温から高温になると色が濃色から脱色、或いは白化するものが多い材料を使用することが多く適切ではない。
【特許文献１】特開２００３−１３８１８２
【発明の開示】
【発明が解決しようとする課題】
【０００３】
本発明が解決しようとする課題は、感温変色体の色変化が、低温から高温になると色が濃色から脱色或いは、白化するものにおいて、文字又は／及び形状の表示又は発現方法を提供するものである。
【課題を解決するための手段】
【０００４】
本発明は、感温変色体の色変化が、低温から高温になると色が濃色から脱色或いは、白化するものにおいて、表示したい文字又は形状を感温変色体の色又はそれと異なる色（特に白色）で予め、感温変色体の上又は下に印刷等で配置しておく。
【０００５】
請求項１記載の発明は、温度感知体の文字・形状発現方法であって、感温変色体を配置したテープ状又はシート状又はラベル状の温度感知体を貼付して被貼付物体の温度を前記感温変色体の色変化を視認させる場合の前記色変化が、前記感温変色体が有する変色温度より低温側から変色温度より高温側になると前記色が有色から脱色又は白色化する前記感温変色体を配した感温感知体の文字・形状発現方法であって、前記感温変色体の上側又は下側に表示部を配置し、前記表示部は、前記感温変色体の前記変色温度未満の温度での前記感温変色体の呈する色と同じかほぼ同じ色を有することで、前記変色温度未満の温度では、前記表示部は視認し難く、前記変色温度以上の温度で前記感温変色体が変色することで、前記表示部は視認が容易となる第一表示部と、前記感温変色体の前記変色温度未満の温度での前記感温変色体の呈する色と異なる色を有することで、前記変色温度未満の温度では、前記表示部は視認が容易であり、前記変色温度以上の温度で前記感温変色体が変色することで、前記表示部は視認がし難くなる第二表示部との内、少なくとも、文字又は／及び形状を持って配置された前記第一表示部を含むことを特徴とする。
【０００６】
請求項２記載の発明は、請求項１記載の温度感知体の文字・形状発現方法において、前記第一表示部が前記温度感知体のほぼ全面に配置され、前記変色温度が相異なる複数の前記感温変色体が配置されることを特徴とする。
【０００７】
請求項３記載の発明は、請求項１記載の温度感知体の文字・形状発現方法において、前記感温変色体は、前記温度感知体のほぼ全面に配置され、前記第一表示部が前記温度感知体の面の一部に配置されることを特徴とする。
【０００８】
請求項４記載の発明は、請求項１記載の温度感知体の文字・形状発現方法において、前記変色温度が相異なる複数の前記感温変色体が配置され、前記第一表示部を前記温度感知体の面に複数の領域に分けて配置されることを特徴とする。
【０００９】
請求項５記載の発明は、請求項１記載の温度感知体の文字・形状発現方法において、前記感温変色体は、感温変色体１及び感温変色体２の二種類であって、前記変色温度として、各々、変色温度１及び変色温度２を有する場合において、前記温度感知体の面上で、前記変色温度１を有する前記感温変色体１を配置される領域には第三表示部を、前記変色温度１より高い変色温度２を有する感温変色体２を配置される領域には第四表示部を各々配置し、前記第三表示部には、前記感温変色体１の前記変色温度１未満の温度での前記感温変色体１の呈する色と異なる色を有することで、前記変色温度１未満の温度では、前記第三表示部は視認が容易であり、前記変色温度１以上の温度で前記感温変色体１が変色することで、前記第三表示部は視認がし難くなる第一感温表示部と、前記感温変色体１の前記変色温度１未満の温度での前記感温変色体１の呈する色と同じ又はほぼ同じ色を有することで、前記変色温度１未満の温度では、前記第三表示部は視認し難く、前記変色温度１以上の温度で前記感温変色体１が変色することで、前記第三表示部は視認が容易となる第二感温表示部との内、少なくとも、第二感温表示部を有し、前記第四表示部は、前記感温変色体２の前記変色温度２未満の温度での前記感温変色体２の呈する色と同じかほぼ同じ色を有することで、前記変色温度２未満の温度では、前記第四表示部は視認し難く、前記変色温度２以上の温度で前記感温変色体２が変色することで、前記第四表示部は視認が容易となる第三感温表示部であることを特徴とする。
【００１０】
請求項６記載の発明は、請求項５記載の温度感知体の文字・形状発現方法において、前記第一感温表示部、前記第二感温表示部、前記第三感温表示部の前記文字又は／及び形状は、前記温度感知体の幅方向に分けて付設したことを特徴とする。
【発明の効果】
【００１１】
以上の様に構成されているので、感温変色体の色変化が、低温から高温になると色が濃色から脱色或いは、白化するものにおいて、低温では、感温変色体と異なる白色の部分は、感温変色体の色と区別されて視認容易であるが、同じ色は視認困難である。高温になると、感温変色体は脱色、又は白化するので、白色の文字又は形状は視認困難であるが、赤色の文字又は形状は視認容易となる。
【発明を実施するための最良の形態】
【００１２】
発明を実施するための最良の形態として、表示したい文字又は形状を感温変色体の色と同じ色、又はそれと異なる色（特に白色）で予め、感温変色体の上又は下に印刷等で形成しておく。このようにすると、低温では、感温変色体と異なる白色の部分は、感温変色体の例えば赤と区別されて見えるが、同じ色は、視認できない。高温になると、感温変色体は、脱色又は、白化するので、白色の文字又は形状は視認できないが、赤色の文字又は形状は視認が容易となる。以下、実施例で説明する。
【実施例１】
【００１３】
図１は、本発明による、感温変色体の文字又は形状発現方法の一実施態様を示す斜視図であって、１−Ａの例では、例えば、低温で赤色の感温変色体１０１と、背景色として白色の塩化ビニル、ポリエステルフィルム等の基体１０２の間に所定の色、ここでは、赤色を持つ表示部１０３が埋め込まれている。１０３は、例えば、色インク等で印刷される等で作成が可能である。このように形成すると、低温では、感温変色体１０１が赤色なので、赤色の表示部１０３は視認できない。ところが、感温変色体１０１の変色温度以上になると、感温変色体１０１は脱色又は白色になるので、下の赤色の表示部１０３が透けて発現する。表示部１０３は、形状でも良いし、文字でも良い。又、表示部１０３は、感温変色体１０１の上側に配置してもよい。１−Ｂの例は、表示部１０３は、基体１０２の上に全面につけられている。感温変色体は、変色温度が相異なる３つの感温変色体１０１−１、１０１−２、１０１−３で出来ている。こうすると、低温では、赤一色であったものが、変色温度１を過ぎると、変色温度を過ぎた部分が、脱色或いは白化して、変色部がどこまで進んだかを見れば、変色温度範囲を知ることが出来る。表示部１０３の色は、白色でも赤色でも良い。ここでも、表示部１０３は、感温変色体１０１−１、１０１−２、１０１−３の上に各々をまたぐように配置してもよい。１−Ｃは、３つに区切られた表示部１０３−１、１０３−２、１０３−３を埋め込んだものである。例えば、各表示部の色を赤とすると、変色温度を越えた部分の感温変色体が脱色或いは白化するので、その下の赤の表示部のみが見えて、変色範囲が１−Ｂよりはっきりする。ここでも、表示部１０３−１、１０３−２，１０３−３が感温変色体１０１−１、１０１−２、１０１−３の上側に配置してもよい。
【実施例２】
【００１４】
図２は、本発明の別の実施態様を示す図である。図１は、斜視図で示したが、図２以下は、平面図と断面図で示している。２−Ａにおいて、例えば、低温時に赤色の感温変色体２０１の下に、「通常温度」の文字と縦棒状の形状の表示部２０３−１が白色で、「異常高温」の文字と縦棒状の形状の表示部２０３−２が赤色で埋め込まれている。低温では、感温変色体の赤色を介して、「通常温度」の文字と縦棒状の形状が白色で視認できる。「異常高温」の文字と縦棒状の形状は、赤色の感温変色体２０１と同じ色なので視認できない。感温変色体２０１の変色温度以上に高温になると、感温変色体２０１は、脱色又は白化する。「通常温度」の文字と縦棒状の形状は、白色の感温変色体２０１と同じ色になるので視認できなくなり、赤色の「異常高温」の文字と縦棒状の形状は、白色の感温変色体２０１を介して視認が可能となる。２−Ａはテープの長手方向に高温表示部と低温表示部を形成したが、２−Ｂは、テープの幅方向に、高温表示部と低温表示部を分けて形成したものである違いがある。ここでも、表示部２０３−１、２０３−２を感温変色体２０１の上側に配置してもよい。
【実施例３】
【００１５】
図３は、本発明の別の実施態様を示す図である。３−Ａは、相異なる複数の変色温度を有する感温変色体を付設したもので、この例では、低温で赤色、高温で薄い白色を呈する二種の変色温度の感温変色体３１（低温）と感温変色体３２（高温）を使っている。これらの感温変色体の下には、２−Ａと同様に、感温変色体３１の領域では、「低温」の文字と横線等の形状が白色の第一感温表示部、「適温」の文字と横線等の形状が赤色の第二感温表示部があり、感温変色体３２の領域では、「高温」の文字と横線等の形状が赤色で描かれている第三感温表示部がある。勿論、表示文字は低温、適（又は中）温、高温に拘らない。低温では、感温変色体の両方が、赤色なので、白色で描かれた「低温」の文字とこれに付随した横線等の形状のみが視認できる。感温変色体３１の変色温度を越えて、感温変色体３２の変色温度以下では、感温変色体３１のみ白色になり、「低温」の文字と横線等のパターンは、白地に白色で視認できなくなる。一方、「適温」の文字と横線等のパターンが白地に赤色で視認できる。感温変色体３２の変色温度以上では、感温変色体３１、感温変色体３２とも白色に変色して、「高温」の文字と横線等のパターンも視認できるようになる。３−Ａでは、テープの長手方向に感温変色体３１と感温変色体３２を並べて、「低温」、「適温」、「高温」の文字と横線形状の各表示部を形成したが、３−Ｂは、並びをテープの幅方向に形成したものである。勿論、図３において、白色の「低温」の文字と縦線又は横線が無いものも可能である。ここでも、文字又は形状は、感温変色体３１、３２の上側でもよい。
【実施例４】
【００１６】
図４は、本発明の別の実施態様を示す図である。３−Ａと３−Ｂでは、感温変色体３１と感温変色体３２の色を同色の赤色にしたが、図４では、感温変色体４１の色を緑色に、感温変色体４２の色を赤色にして、これに対応して、「適」の文字と付随する横線を緑色に、「高」の文字と付随する横線を赤色にしたものである。この場合、感温変色体４１の変色温度以上では、緑色の「適」の文字と横線が視認される。感温変色体４２の変色温度以上では、赤色の「高」の文字と横線が視認される。勿論、図４において、白色の「低温」の文字と縦線又は横線が無いものも可能である。ここでも、文字又は形状は、感温変色体４１、４２の上側に配置してもよい。
【００１７】
図２の２−Ｂ、図３の３−Ｂ、図４のように、低温表示、適温表示、高温表示を幅方向に分けて配置した場合は、例えば長いテープで長さ方向のどこで切っても使用が可能なので特に便利な配置である。以上の例では、感温変色体と表示部の関係が本発明の基本であり、このようなテープ又はシート又はラベルが他の物体に付着させて使用するには、付着層が必要であることは当然であり、本発明の範囲である。尚、感温変色体は、塩化ビニル樹脂、ポリエステル樹脂、フェノール樹脂、アクリル樹脂、エポキシ樹脂、スチレン樹脂、エチレン樹脂、プロピレン樹脂等に感温変色剤を分散含有させたもので形成できるが、感温変色剤としては、例えば、特許文献３に見ることができ、その記述として、電子供与性呈色色素類、電子受容性顕色剤及び一般式ＣＨ３（ＣＨ２）ｎＣＨ２ＯＣＨ２ＣＨ２ＣＮ（式中、ｎは０から１８の整数を示す。）で表されるアルコール・アクリロニトリル付加物を含む熱可逆変色性組成物が紹介されている。以上の例では、感温変色体の下側に文字又は形状を配置した例で説明したが、前述したように、上側に配置しても全く同様の効果である。
【特許文献３】特許番号  第２５２３３５０号
【産業上の利用可能性】
【００１８】
以上のような感温変色体の文字・形状発現方法は、感温変色体の色変化が、低温から高温になると色が濃色から脱色或いは、白化するものにおいて、文字或いは形状の表示を有効に行って感温変色テープ或いは、シート或いはラベルを提供し、利用性が高いのは明らかである。
【図面の簡単な説明】
【００１９】
【図１】本発明に係る感温変色体の文字・形状発現方法の一実施態様を示す斜視図である。
【図２】本発明に係る感温変色体の文字・形状発現方法の別の実施態様を示す平面及び断面図である。
【図３】本発明に係る感温変色体の文字・形状発現方法の別の実施態様を示す平面及び断面図である。
【図４】本発明に係る感温変色体の文字・形状発現方法の別の実施態様を示す平面及び断面図である。
【図５】従来の製品の文字・形状発現方法の例を示す図である。
【符号の説明】
【００２０】
１０１、１０１−１、１０１−２、１０１−３、２０１、３１、３２、４１、４２
感温変色体
１０２  基体
１０３、１０３−１、１０３−２、１０３−３、２０３−１、２０３−２  表示部
５１    色素隠蔽円形部
【図１】
2005274801.tif 000003
【図２】
2005274801.tif 000004
【図３】
2005274801.tif 000005
【図４】
2005274801.tif 000006
【図５】
2005274801.tif 000007